【事件の表示】
　平成５年特許願第２３５６４９号「遊技機」拒絶査定不服審判事件〔平成７年３月７日出願公開、特開平７−５９９３３〕について、次のとおり審決する。
【結　論】
　本件審判の請求は、成り立たない。
【理　由】
１．手続の経緯及び本願発明
　本願は、平成５年８月２８日の出願であって、平成１５年２月２６日付けで拒絶査定がなされ、これに対し、平成１５年３月２５日に拒絶査定に対する審判請求がなされたものであり、その請求項１に係る発明は、平成１５年３月２５日付手続補正書の特許請求の範囲の請求項１に記載された次のとおりのもの（以下、「本願発明」という）と認める。
　
　「【請求項１】　遊技球が第１始動入賞口に入賞した場合に変動入賞装置の可動部材を第１開閉時間で開閉動作させるとともに、
　遊技球が第２始動入賞口に入賞した場合に前記変動入賞装置の可動部材を第２開閉時間で開閉動作させ、
　前記可動部材の第１始動入賞口若しくは第２始動入賞口の入賞に基づく開閉動作において変動入賞装置に受け入れられた遊技球が特別入賞口に入賞した場合に可動部材を第３開閉時間で複数回開閉動作させる特別遊技サイクルを発生して、
　該特別遊技サイクルにおいて受け入れた遊技球が特別入賞口に入賞すると次の特別遊技サイクルに移行可能な遊技機において、
　前記特別入賞口への遊技球の入賞を検出する特別入賞球検出手段と、
　前記変動入賞装置に受け入れられた遊技球を検出する特定入賞球検出手段と、を備えるとともに、
　前記特別入賞球検出手段からの検出信号に基づいて前記特別入賞口への遊技球の入賞信号と、
　前記特定入賞球検出手段からの検出信号に基づいて前記変動入賞装置内への遊技球の受け入れ信号と、
　前記可動部材が開放するとＨレベルになり可動部材が閉鎖するとＬレベルになる信号と、
を集中管理装置側に出力する制御を行う信号出力手段を備え、
　前記集中管理装置が前記可動部材の開閉状態に基づく入賞状態データを演算可能なことを特徴とする遊技機。」
　
２．引用例
　原査定の拒絶の理由に引用された、本願出願日の前である平成４年４月３日に頒布された特開平４−１０２４８０号公報（以下、「引用例」という）には、図面とともに次の事項が記載されている。
　
　「遊技盤６は表面にガイドレール７で囲まれた遊技部８を有し、該遊技部８内に様々な入賞具９…や風車ｌ０…等を適宜に配設し、遊技部８のほぼ中央部には電気的遊技機器たる変動入賞装置１１を設けると共に、該変動入賞装置１１の適宜下方には夫々左始動口１２、中央始動口１３、右始動口１４を有する入賞具９ａ，９ｂ，９ｃを配設し、左始動口１２には左第１始動スイッチ１５ａを、右始動口１４には右第１始動スイッチ１５ｂを、中央始動口１３には第２始動スイッチ１６を設けて、各始動口１２〜１４へ入賞した入賞球を検出可能なようにしてある。」（第４頁右上欄第４〜１５行）
　「上記球通過口２８には駆動機構３１によって開閉動作させられる球受扉３２，３２を回動可能に軸着してあり、一対のソレノイド３３，３３のプランジャに取り付けられた動作片３４によって、球受扉３２より後方に延出させた動作軸３２ａに軸着したクランク軸３５を駆動させ、球受扉３２，３２を左右方向に所要角度だけ開閉させるのである。すなわち、ソレノイド３３の消磁時には球受扉３２，３２が球通過口２８を閉塞した第１状態となし、ソレノイド３３の駆動時には球受扉３２，３２が球通過口２８を開成した第２状態となすことで、変動入賞装置１１は遊技者にとって不利な第１状態と遊技者にとって有利な第２状態とに変換可能になる。」（第４頁右下欄第６行〜１９行）
　「上記入賞室と入賞球振り分け室２９の連通路にはカウントスイッチ３７を臨ませてあり、球受扉３２の開成時に球通過口２８より変動入賞装置１１へ入賞した全入賞球をカウント可能にしてあると共に、カウントスイッチ３７の上方適所には入賞球をカウントスイッチ３７の検出口へ導くための入賞球ガイド部材３８を配してある。」（第５頁左上欄第２〜８行）
　「しかして、入賞球振り分け部材４０には唯一の継続入賞球受部４２を設けてあり、入賞球受部材３９の傾斜部３９ｂから入賞球振り分け部材４０の継続入賞受部４２へ至った入賞球は、回動する入賞球振り分け部材４０によって継続入賞口（図示省略）まで導かれてゆき、該継続入賞口に配設した継続スイッチ４３をオンさせた後、遊技盤６裏面の入賞球集合樋へ導かれるのである。」（第５頁右上欄第８行〜１５行）
　「左第１始動スイッチ１５ａ、右第１始動スイッチ１５ｂ、第２始動スイッチ１６、継続スイッチ４３、カウントスイッチ３７、セーフスイッチ２４、アウトスイッチ２５より電気的制御装置５５へ入力された検出信号は波形成形手段たるフィルタ５６によって波形成形され、基本制御手段たるワンチップ・マイクロコンピュータ５７へ供給される。
　該ワンチップ・マイクロコンピュータ５７は演算処理回路、固定データ記憶回路、変動データ記憶回路等を単一基材へ集積したもので、各種検出器からの検出信号を適宜に処理し、…信号変換手段たる通信トライバ６０へ選択的に信号出力する。」（第５頁右下欄第６〜２０行）
　「上記通信ドライバ６０は通信端子６３から通信ケーブル等を介して管理装置へ出力する信号を送信可能な出力信号に変換すると共に、上記通信端子６３を介して管理装置より入力された入力信号を電気的制御装置５５内で処理可能な信号に変換する。」（第６頁左上欄第１１〜１６行）
　「電気的制御装置５５には変動入賞装置１１の駆動源たるソレノイド３３，３３を動作制御する遊技機器制御手段９７を設けてあり、例えば左第１始動スイッチ１５ａもしくは右第１始動スイッチ１５ｂが入賞球を検出した場合には、上記遊技機器制御手段９７が変動入賞装置１１を１度だけ第２状態に変換駆動させ、第２始動スイッチ１６が入賞球を検出した場合には、上記遊技機器制御手段９７が変動入賞装置１１を２回連続して第２状態に変換駆動させるように制御する。」（第１０頁右上欄第１８行〜左下欄第７行）
　「また、電気的制御装置５５に設けた実績データ収集手段１００は、上記遊技機器制御手段９７が変動入賞装置１１を制御した結果、実際に得られた遊技結果として、セーフスイッチ２４、アウトスイッチ２５、左第１始動スイッチ１５ａ、右第１始動スイッチ１５ｂ、第２始動スイッチ１６、継続スイッチ４３、カウントスイッチ３７より入力される遊技データを収集し、これらの遊技データを揮発性のメモリたるＲＡＭ８６へ一時的に記憶するのである。」（第１０頁右下欄第１３行〜第１１頁左上欄第２行）
　「ハードリセット処理もしくはタイマ割込処理によって通常の遊技処理が開始されると、まず入力読込処理を行い、各種検出器によって検出された検出情報を遊技データとして読み込み、各遊技データを更新するのである。
　上記入力読込処理に際しては、まずセーフスイッチ２４、アウトスイッチ２５、左第１始動スイッチ１５ａ、右第１始動スイッチ１５ｂ、第２始動スイッチ１６、カウンタスイッチ３７、継続スイッチ４３からの入力情報を読み込み、該入力情報を適宜に処理することで、信号のレベル変化たる「立上りエッジ」を検出し、この立上りエッジの有無によって検出情報の有無を判断するのである。
　そして、・・・継続スイッチ４３より入力された検出情報から立上りエッジを検出した場合には、継続入賞球数を計数記憶する継続入賞球カウンタの計数値に“１”加算し、カウントスイッチ３７より入力された検出情報から立上りエッジを検出した場合には、第２状態に変換駆動された変動入賞装置ｌｌの球通過路２８を経て入賞した全入賞球数たるカウント球数を計数記憶するカウンタの計数値に“ｌ”加算する。」（第１２頁右下欄第９行〜第１３頁右上欄第１０行）
　「ここで、動作時間の算出法の一具体例として、補助遊技における動作時間たる補助遊技用動作時間と、特別遊技における動作時間たる特別遊技用動作時間のうち、特別遊技用動作時間は一定とし、補助遊技用動作時間のみを変更する場合について説明する。
　なお、本実施例における補助遊技用動作時間においては、左始動口１２及び右始動口１４に遊技球が入賞した場合に、変動入賞装置１１を第２状態に変換駆動させる第１補助遊技用動作時間と、中央始動口１３に遊技球が入賞した場合に、変動入賞装置１１を第２状態に変換駆動させる第２補助遊技用動作時間とを分けて設定するものとしてある。」（第１５頁左上欄第２〜１５行）
　「また、継続スイッチ４３が入賞球を検出した場合には、分岐処理における処理番号を“処理Ｎｏ３”にセットすると共に、ＲＡＭ８６に収集中の実績データ内の「特別遊技発生回数」に“ｌ”加算する。また、上記した第１補助遊技処理と同様に、“特別遊技開始送信要求コード”をセットすることで、当該パチンコ機１において開始された特別遊技の通算回数たる「特別遊技発生回数」が、後に詳述するデータ送受信処理において、管理装置へ送信されるようにするのである。
　なお、変動入賞装置１１を第２状態に変換駆動させた第２補助遊技用動作時間中に継続スイッチ４３が入賞球を検出しなかった場合には、第２補助遊技終了条件が成立したものとして、分岐処理における処理番号を“処理Ｎｏ０”にセットすると共に、変動入賞装置１１を第１状態に変換駆動させて補助遊技を終了する。
　上記した第１補助遊技処理もしくは第２補助遊技処理において、分岐処理の処理番号が“処理Ｎｏ３”にセットされた状態でメイン処理が起動されると、分岐処理において特別遊技処理が行われる。該特別遊技処理においては、変動入賞装置１１を特別遊技用動作時間だけ第２状態に変換駆動させる１サイクル中に、変動入賞装置１１へ入賞した入賞球によって継続スイッチ４３がオンさせられることで、当該特別遊技中に最高所定回数（例えば８〜１６回）まで継続更新可能なサイクル数を計数処理すると共に、当該特別遊技中に変動入賞装置１１へ入賞した入賞球全てを検出するカウントスイッチ３７がカウントしたカウント球数を計数処理する。」（第２２頁右下欄第２行〜第２３頁左上欄１２行）
　「・・・、後に詳述するデータ送受信処理において、特別遊技中に計数したサイクル更新回数とカウント球数が管理装置へ送信されるのである。」（第２３頁右上欄第１４〜１７行）
　「なお、管理装置より「実績データ要求コマンド」が入力されていれば、“実績データ送信コード”をセットするが、この「実績データ要求コマンド」は要求する実績データ毎に複数種類設定するものとし、「実績データ要求コマンド」の種類に応じた“実績データ送信コード”をセットするのである。例えば、「実績データ要求コマンド」が現在使用中の実績データ（実績データ収集手段１００によって収集されている実績データが記憶タイミング制御手段１０２によって実績データ記憶手段１０３へ書き込まれた収集過程の実績データ）を要求するものであれば、該当する実績データを管理装置へ送信する“実績データ送信コード”をセットし、ＥＥＰＲＯＭ８５へ正規に蓄積された過去の実績データを要求する「実績データ要求コマンド」であれば、該当する過去の実績データを管理装置へ送信する“実績データ送信コード”をセットする。無論、複数種類の実績データを随意に選択指定可能なように構成してもよい。
　次いで、出力用の送信データをセットするための送信バッファに空きがあり、尚かつ、管理装置へのコード送信もしくはデータ送信を要求するための“送信要求コード”がセットされていれば、各“送信要求コード”に応じた送信コードもしくは送信データを所定の送信バッファにセットする。
　すなわち、・・・第１補助遊技処理もしくは第２補助遊技処理において“特別遊技開始送信要求コード”がセットされている場合には、第１，第２補助遊技処理中に“ｌ”加算された「特別遊技発生回数」を送信バッファにセットし、特別遊技処理において“特別遊技終了送信要求コード”がセットされている場合には、該特別遊技処理中に計数処理された「特別遊技中のサイクル更新回数」と「特別遊技中のカウント球数」とを送信バッファにセットし、・・・上記した実績データ要求コマンドに基づく“実績データ送信コード”がセットされている場合には、該当する実績データを送信バッファにセットする。」（第２３頁右下欄第９行〜第２４頁右上欄第１４行）
　
　以上の記載事項によれば、引用例には次の発明（以下、「引用発明」という）が記載されているものと認められる。
　
　「遊技球が左始動口１２及び右始動口１４に入賞した場合に、変動入賞装置１１の球受扉３２，３２を開成する第１補助遊技用動作時間と、遊技球が中央始動口１３に入賞した場合に、前記変動入賞装置１１の球受扉３２，３２を開成する第２補助遊技用動作時間とを分けて設定し、
　第１補助遊技処理若しくは第２補助遊技処理において、継続スイッチ４３が入賞球を検出した場合に特別遊技処理が行われ、該特別遊技処理においては、変動入賞装置１１の球受扉３２，３２を特別遊技用動作時間だけ開成する１サイクル中に、変動入賞装置１１へ入賞した入賞球によって継続スイッチ４３がオンさせられることで、当該特別遊技処理の継続更新が可能なパチンコ機１において、
　継続入賞口に配設した継続スイッチ４３と、
　球受扉３２，３２の開成時に球通過口２８より前記変動入賞装置１１へ入賞した全入賞球をカウント可能にしたカウントスイッチ３７と、を備えるとともに、
　前記継続スイッチ４３より入力された検出情報から立上りエッジを検出した場合には、継続入賞球数を計数記憶する継続入賞球カウンタの計数値に“１”加算し、
　前記カウントスイッチ３７より入力された検出情報から立上りエッジを検出した場合には、カウント球数を計数記憶するカウンタの計数値に“ｌ”加算し、
　これらのデータは実績データ収集手段１００によって収集され、データ送受信処理において管理装置に送信されるパチンコ機１」
　
３．対比
　そこで、本願発明と引用発明を対比すると、
　引用発明の「左始動口１２」及び「右始動口１４」は本願発明の「第１始動入賞口」に相当し、以下同様に、「球受扉３２，３２」は「可動部材」に、「第１補助遊技用動作時間」は「第１開閉時間」に、「中央始動口１３」は「第２始動入賞口」に、「第２補助遊技用動作時間」は「第２開閉時間」に、「継続スイッチ４３」は「特別入賞球検出手段」に、「特別遊技用動作時間」は「第３開閉時間」に、「特別遊技処理の継続更新が可能」は「次の特別遊技サイクルに移行可能」に、「パチンコ機１」は「遊技機」に、「継続入賞口」は「特別入賞口」に、「カウントスイッチ３７」は「特定入賞球検出手段」に、「管理装置」は「集中管理装置」にそれぞれ相当する。
　また、引用発明の「実績データ」は本願発明の「入賞状態データ」に相当し、何れも演算により（引用発明の「実績データ」は加算により）求められるものであるから、この点に関して、本願発明と引用発明は「特別入賞球検出手段からの検出信号に基づいて特別入賞口への遊技球の入賞信号と、特定入賞球検出手段からの検出信号に基づいて変動入賞装置内への遊技球の受け入れ信号と、を出力して入賞状態データを演算可能」である点で共通している。
　さらに、引用発明において、実績データ収集手段１００によって収集されたデータを管理装置に送信するにあたり、信号の出力を制御する「信号出力手段」を備えていることは自明である。
　
　したがって、両者は、
　「遊技球が第１始動入賞口に入賞した場合に変動入賞装置の可動部材を第１開閉時間で開閉動作させるとともに、
　遊技球が第２始動入賞口に入賞した場合に前記変動入賞装置の可動部材を第２開閉時間で開閉動作させ、
　前記可動部材の第１始動入賞口若しくは第２始動入賞口の入賞に基づく開閉動作において変動入賞装置に受け入れられた遊技球が特別入賞口に入賞した場合に可動部材を第３開閉時間で複数回開閉動作させる特別遊技サイクルを発生して、
　該特別遊技サイクルにおいて受け入れた遊技球が特別入賞口に入賞すると次の特別遊技サイクルに移行可能な遊技機において、
　前記特別入賞口への遊技球の入賞を検出する特別入賞球検出手段と、
　前記変動入賞装置に受け入れられた遊技球を検出する特定入賞球検出手段と、を備えるとともに、
　前記特別入賞球検出手段からの検出信号に基づいて前記特別入賞口への遊技球の入賞信号と、
　前記特定入賞球検出手段からの検出信号に基づいて前記変動入賞装置内への遊技球の受け入れ信号と、
　を出力して入賞状態データを演算可能であり、
　集中管理装置側に信号を出力する制御を行う信号出力手段を備えた遊技機。」
である点で一致し、以下の点で相違する。
　
（相違点１）
　入賞状態データを演算するにあたり、本願発明では、入賞信号等の各信号を集中管理装置側に出力して集中管理装置側で演算するのに対して、引用発明では、遊技機側で演算する点。
　
（相違点２）
　本願発明では、可動部材が開放するとＨレベルになり可動部材が閉鎖するとＬレベルになる信号を出力して、可動部材の開閉状態に基づく入賞状態データを演算するのに対して、引用発明では、かかる信号を出力しておらず、入賞状態データは可動部材の開閉状態に基づいて演算されたものではない点。
　
４．当審の判断
　上記相違点１について検討する。
　遊技機の入賞状態データを演算するにあたり、入賞信号等の各信号を集中管理装置側に出力して集中管理装置側で演算することは、従来周知の技術であり（実願平３−６４１２９号（実開平５−９５８４号）のＣＤ−ＲＯＭ、特開平４−３２９９８５号公報及び特開平４−２６９９８４号公報参照）、当業者であれば必要に応じて適宜採用しえるものである。
　よって、相違点１に係る本願発明の構成は、引用発明及び周知技術に基づいて当業者が容易に想到しえたものである。
　
　次に、相違点２について検討する。
　遊技機において、いわゆる「大当たり」状態等の特定の遊技状態の時にＨレベルになりそれ以外の時にはＬレベルになる信号を出力して、特定の遊技状態に基づく入賞状態データを演算する技術は、従来周知であり（実願平３−６４１２９号（実開平５−９５８４号）のＣＤ−ＲＯＭ、特開平４−３２９９８５号公報及び特開平４−２６９９８４号公報参照）、当業者であれば必要に応じて適宜採用しえるものである。そして、引用発明に上記周知技術を適用する際、引用発明の属するいわゆる第２種の遊技機の場合には、変動入賞装置の「可動部材の開閉」が契機となって、いわゆる「大当たり」状態が発生し、あるいは継続するのであるから、特定の遊技状態に基づく入賞状態データを演算するために、「可動部材の開閉」に関するＨレベル又はＬレベルの信号を出力するようにすることは、当業者であれば当然に着想しえるものである。
　よって、相違点２に係る本願発明の構成は、引用発明及び周知技術に基づいて当業者が容易に想到しえたものである。
　
　そして、本願発明の作用効果も引用発明及び周知技術から当業者が予測できる範囲のものである。
　
５．むすび
　したがって、本願発明は、引用発明及び周知技術に基づいて当業者が容易に発明をすることができたものであるから、特許法第２９条第２項に規定により特許を受けることができない。
　
　よって、結論のとおり審決する。